【手続補正書】
【提出日】平成15年3月8日(2003.3.8)
【手続補正１】
【補正対象書類名】明細書
【補正対象項目名】特許請求の範囲
【補正方法】変更
【補正の内容】
【特許請求の範囲】
【請求項１】
所定量の溶液が貯留される貯留室を形成した混合器本体と、この混合器本体に貫通固定されて先端部が上記混合器本体に形成された吐出口部の開口に指し向けられた浄水供給配管とを備え、上記配管の基端部側から流入された浄水と上記貯留室内の溶液とを混合させるとともに、その混合溶液を上記開口から吐出させるように構成したことを特徴とする混合浄水供給装置。
【請求項２】
所定の溶液を貯留する携帯型容器と、この容器の開口部に着脱可能に接続されて１ストロークの押圧ごとに所定量の上記溶液を注出させるポンピング具と、このポンピング具で上記容器から注出された溶液を貯留して浄水と混合しながら吐出させる混合器とを具備し、上記混合器は上記ポンピング具で注出された所定量の溶液を貯留する貯留室と、上記ポンピング具から注出された溶液を上記貯留室内に流入させて貯留させる逆止弁と、上記貯留室内の溶液を吸引しながら浄水を吐出させる浄水供給配管とを備え、上記混合器からの混合浄水を吐出させるように構成したことを特徴とする混合浄水供給装置。
【請求項３】
筒状内部空間に水道水の塩素成分および臭いや濁りなどを除去するろ過材を充填した浄水処理筒を上記浄水供給配管の上流側に接続し、上記浄水処理筒からの浄化処理水を上記浄水供給配管に供給するように構成したことを特徴とする請求項１または２に記載の混合浄水供給装置。
【請求項４】
上記浄水処理筒の上流側に給湯器を接続するとともに、上記混合器の下流側にシャワーノズルを接続し、上記混合器に貯留された所定量のローション液を上記給湯器および浄水処理筒からの浄化温水で吸引しながら上記シャワーノズルから人体に散布させるように構成したことを特徴とする請求項３に記載の混合浄水供給装置。
【手続補正２】
【補正対象書類名】明細書
【補正対象項目名】０００５
【補正方法】変更
【補正の内容】
【０００５】
【課題を解決するための手段】
上記目的を達成するため、請求項１の発明による混合浄水供給装置は、所定量の溶液が貯留される貯留室を形成した混合器本体と、この混合器本体に貫通固定されて先端部が上記混合器本体に形成された吐出口部の開口に指し向けられた浄水供給配管とを備えたことを特徴とする。
請求項２の発明による混合浄水供給装置は、所定の溶液を貯留する携帯型容器と、この容器の開口部に着脱可能に接続されて１ストロークの押圧ごとに所定量の上記溶液を注出させるポンピング具と、このポンピング具で上記容器から注出された溶液を貯留して浄水と混合しながら吐出させる混合器とを具備し、上記混合器は上記ポンピング具で注出された所定量の溶液を貯留する貯留室と、上記ポンピング具から注出された溶液を上記貯留室内に流入させて貯留させる逆止弁と、上記貯留室内の溶液を吸引しながら浄水を吐出させる浄水供給配管とを備えたことを特徴とする。


【手続補正３】
【補正対象書類名】明細書
【補正対象項目名】０００６
【補正方法】変更
【補正の内容】
【０００６】
請求項３の発明による混合浄水供給装置は、筒状内部空間に水道水の塩素成分および臭いや濁りなどを除去するろ過材を充填した浄水処理筒を上記浄水供給配管の上流側に接続し、上記浄水処理筒からの浄化処理水を上記浄水供給配管に供給するように構成したことを特徴とする。


【手続補正４】
【補正対象書類名】明細書
【補正対象項目名】０００７
【補正方法】変更
【補正の内容】
【０００７】
請求項４の発明による混合浄水供給装置は、上記浄水処理筒の上流側に給湯器を接続するとともに、上記混合器の下流側にシャワーノズルを接続し、上記混合器に貯留された所定量のローション液を上記給湯器および浄水処理筒からの浄化温水で吸引しながら上記シャワーノズルから人体に散布させるように構成したことを特徴とする。


【手続補正５】
【補正対象書類名】明細書
【補正対象項目名】０００８
【補正方法】変更
【補正の内容】
【０００８】
【作用】
請求項１の発明によれば、所定の溶液、たとえばローション液または洗剤を混合器本体の貯留室に貯留し、上記混合器本体に貫通固定された浄水供給配管の基端部側から浄水を流入させて、上記貯留室内の溶液と混合させるとともに、その混合溶液を上記開口から吐出させすることができる。
また、請求項２の発明によれば、携帯型容器に所定の溶液、たとえばローション液または洗剤を充填して貯留し、この容器の開口部にポンピング具を着脱可能に接続したのち、このポンピング具を１ストローク押圧して所定量の溶液を上記携帯型容器から注出させ、この注出された溶液を混合器の貯留室に逆止弁を介して貯留するとともに、浄水供給配管から浄水を吐出させると、上記貯留室内の溶液は上記浄水でもって吸引されながら上記混合器から所定の溶液が吐出され、混合浄水となって人体もしくは物体に指し向けることができる。


【手続補正６】
【補正対象書類名】明細書
【補正対象項目名】０００９
【補正方法】変更
【補正の内容】
【０００９】
したがって、請求項１の発明によれば、たとえばバスルームにおいて、ローション液を混合器本体の貯留室に貯留し、上記貯留室からの混合浄水を人体に指し向けると、所定の量と濃度のローション液を含んだ混合浄水を人体の全身に無駄なく散布することができ、その散布作業がきわめて経済的かつ高効率で、快適なバスタイムを満喫することができる。
また、請求項２の発明によれば、ポンピング具を活用することにより、混合浄水を容易に生成できるばかりでなく、ローション液濃度を適宜調整することができ、上記ポンピング具の押圧を停止した状態で浄水供給配管からの浄水の吐出を持続させると、ローション液を含まない浄水のみを人体に散布することができ、快適なバスタイムでもって美容と健康の増進に貢献することができる。
さらに、上記携帯型容器は混合器に対して着脱可能に接続することができるから、ローション液の充填作業が容易であり、簡便で使い勝手のよい汎用性のある混合浄水供給装置を提供することができる。
これらのことは、たとえば台所における食器の洗浄に際し、ローション液に代えて洗剤を上記携帯型容器に貯留することにより、ほぼ同様の作用を奏することができる。


【手続補正７】
【補正対象書類名】明細書
【補正対象項目名】００１０
【補正方法】変更
【補正の内容】
【００１０】
請求項３の発明によれば、浄水処理筒に充填したろ過材でもって水道水の塩素成分および臭いや濁りなどを除去し、その浄化処理水を混合器に浄水として供給するから、人体への直接的な散布に限らず、たとえば食器の洗浄に際しても美容と健康の増進に一層貢献することができる。
また、請求項４の発明によれば、上記浄水処理筒の上流側に給湯器を接続するとともに、上記混合器の下流側にシャワーノズルを接続することにより、ローション液を含む浄化温水を上記シャワーノズルから人体に散布することができ、快適なバスタイムでもって美容と健康の増進に一層貢献できる混合浄水供給装置を提供することができる。


【手続補正８】
【補正対象書類名】明細書
【補正対象項目名】００１８
【補正方法】変更
【補正の内容】
【００１８】
【発明の効果】
以上のように、請求項１および２の発明によれば、所定の溶液を貯留して混合器からの混合浄水を人体もしくは物体に指し向けると、所定の量と濃度の溶液を含んだ混合浄水を無駄なく散布することができ、その散布作業がきわめて経済的かつ高効率で、美容と健康の増進に貢献することができ、しかも、簡便で使い勝手のよい汎用性のある混合浄水供給装置を提供することができる。
また、請求項３の発明によれば、浄水処理筒に充填したろ過材でもって水道水の塩素成分および臭いや濁りなどを除去し、その浄化処理水を混合器に浄水として供給するから、人体への直接的な散布に限らず、たとえば食器の洗浄に際しても美容と健康の増進に一層貢献することができる。
さらに、請求項４の発明によれば、上記浄水処理筒の上流側に給湯器を接続するとともに、上記混合器の下流側にシャワーノズルを接続することにより、ローション液を含む浄化温水を上記シャワーノズルから人体に散布することができ、快適なバスタイムでもって美容と健康の増進に一層貢献できる混合浄水供給装置を提洪することができる。


【手続補正９】
【補正対象書類名】明細書
【補正対象項目名】図面の簡単な説明
【補正方法】変更
【補正の内容】
【図面の簡単な説明】
【図１】この発明による混合浄水供給装置の一例を示す概略的な構成図である。
【図２】この発明による混合浄水供給装置の使用の一例を示す概略的な構成図である。
【符号の説明】
１  携帯型容器
１ａ  容器開口部
２  ポンピング具
３  混合器
３ａ  貯留室
４  逆上弁
５  浄水供給配管
５ａ 先端部
５ｂ 基端部
１１ 混合器本体
１１ｃ 吐出口部
１１ｄ 開口
１８  シャワーノズル
１９  給湯器
２１  浄水処理筒
２１ａ  筒状内部空間
ａ  溶液
ｃ  浄水
ｄ  混合浄水
ｅ  浄化処理水
ｆ  水道水
ｇ  浄化温水
Ｂ１  塩素成分ろ過材
Ｂ２  臭いや濁りろ過材